(57)【要約】      （修正有）【課題】シュレッダの細断機構を駆動するモータの毎回の負荷の経時的状況を表示し、細断機構が詰まってしまう事態を回避するためのユーザーへの注意喚起に寄与し得るＬＥＤ表示装置を提供する。【解決手段】細断機構により不要な紙葉を切り刻むシュレッダの細断時における細断機構を駆動するモータ２の負荷状況をＬＥＤにより表示するＬＥＤ表示装置１であり、制御信号に基づいて複数色に発光し得る３色ＬＥＤが正列状に配列され、モータ２の電気的情報を検出するセンサ３の検出信号を入力し制御信号を生成する制御部４の当該制御信号に基づいて、モータ２の負荷の状況をライン表示と発光色とにより表示する。【選択図】図１
0003182638.tif 000002
【実用新案登録請求の範囲】
【請求項１】
細断機構により不要な紙葉を切り刻むシュレッダの細断時における前記細断機構を駆動するモータの負荷の経時的状況をＬＥＤにより表示するＬＥＤ表示装置であり、
制御信号に基づいて複数色に発光し得る３色ＬＥＤが正列状に配列され、前記モータの電気的情報を検出するセンサの検出信号を入力し制御信号を生成する制御部の当該制御信号に基づいて、前記モータの負荷の経時的状況をライン表示と発光色とにより表示することを特徴とするＬＥＤ表示装置。
【請求項２】
前記ライン点灯する各ＬＥＤの下側のＬＥＤは、同列の前記ライン点灯するＬＥＤと同色に点灯するように構成されている請求項１に記載のモータの負荷を表示するＬＥＤ表示装置。
【考案の詳細な説明】
【技術分野】
【０００１】
本考案は、細断機構により不要な紙葉を切り刻むシュレッダに関し、特に、細断時における前記細断機構を駆動するモータの負荷の経時的状況を表示するＬＥＤ表示装置に関する。
【背景技術】
【０００２】
細断機構により不要な紙葉を切り刻むシュレッダが提案されている（文献１〜４）。特許文献１には、細断時に細断機構を駆動するモータの負荷状況を知り、保守点検の必要があるか否か等の判断材料とする技術が、開示されている。
この技術によれば、剪断刃が刃こぼれして切れ味が悪くなることに伴うモータの負荷の増大に応じ、ランプの点灯する数または位置が変わるように構成されている。従って、ユーザーが点灯するランプの数または位置を知ることにより、点検作業や部品交換の時期を判断して保守管理を適切に行うことができる。
【０００３】
またシュレッダの細断時において書類の厚さを感知し、表示器に、シュレッダの容量の範囲内の厚さであることを緑色ライトで示し、範囲外の厚さであることを累進的に複数の黄色ライトで示し、処理可能な最大厚さを超えたことを赤色ライトで示すことが、特許文献２に開示されている。
この技術によれば、細断機構が詰まらないように書類の厚さを変更しうる機会をユーザーに知らせる。
【先行技術文献】
【特許文献】
【０００４】
【特許文献１】特開２００７−１３６２６６号公報
【特許文献２】特表２００９−５３０１０８号公報
【特許文献３】特開平０８−５２３７１号公報
【特許文献４】実開昭６１−１２１９５１号公報
【考案の概要】
【考案が解決しようとする課題】
【０００５】
ユーザーは、不要な紙葉をシュレッダに掛けて細断する際、迅速に処理しようとして不要な紙葉を次から次へと投入する傾向がある。このため、細断機構が細断する紙葉の枚数が変動するのに伴い、細断機構を駆動するモータの負荷も変動する。紙葉の枚数が多すぎてモータの負荷が出力を超えると、細断機構での細断が不能となり紙詰まりを起こす。
【０００６】
特許文献１、２に記載された技術によれば、紙葉の枚数とモータの負荷との関係が分からないので、細断時の書類の過投入による紙詰まりを皆無とすることができない。
【０００７】
そこで、本考案は上記問題点に鑑みなされたものであって、シュレッダの細断機構を駆動するモータの毎回の負荷の経時的状況を表示し、細断機構が詰まってしまう事態を回避するためのユーザーへの注意喚起に寄与し得るＬＥＤ表示装置を提供することを目的とする。
【課題を解決するための手段】
【０００８】
上記課題を解決するために、本考案のＬＥＤ表示装置は、細断機構により不要な紙葉を切り刻むシュレッダの細断時における前記細断機構を駆動するモータの負荷の経時的状況をＬＥＤにより表示するＬＥＤ表示装置であり、制御信号に基づいて複数色に発光し得る３色ＬＥＤが正列状に配列され、前記モータの電気的情報を検出するセンサの検出信号を入力し制御信号を生成する制御部の当該制御信号に基づいて、前記モータの負荷の状況をライン表示と発光色とにより表示することを特徴とする。
【０００９】
本考案によれば、正列状に配列された複数色に発光し得る３色ＬＥＤが、細断時における細断機構を駆動するモータの負荷の経時的状況をライン表示と発光色とにより表示するので、ユーザーにおいて、細断中の紙葉の厚さ又は枚数と、モータの負荷の許容限度との関係を視覚的に把握し易い。このため、ユーザーは毎回の細断時にＬＥＤ表示装置を見て、細断中の紙葉の厚さ又は枚数を減らすべきか否かを判断することが容易であり、ユーザーの細断機構が詰まってしまう事態を回避するための注意力喚起に寄与し得る。
【００１０】
上記考案において、前記ライン点灯する各ＬＥＤの下側のＬＥＤは、同列の前記ライン点灯するＬＥＤと同色に点灯するように構成されている。本考案によれば、発光領域をライン表示に面積表示に拡げたので、発光色に対する視覚認識が高まり、細断中の紙葉の厚さ又は枚数を減らすべきか否かを判断することが一層容易になり、ユーザーの細断機構が詰まってしまう事態を回避するためのユーザーへの注意喚起に寄与し得る。
【考案の効果】
【００１１】
本考案によれば、シュレッダの細断機構を駆動するモータの毎回の負荷の経時的状況をＬＥＤのライン表示と発光色とにより発光表示するので、一目見て、細断中の紙葉の厚さ又は枚数とモータの負荷の経時的状況との関係を容易に把握できる。このため、細断機構が詰まってしまう事態を回避するため、ユーザーが細断中の紙葉の厚さ又は枚数を減らすべきか否かを判断するための注意喚起に寄与し得るＬＥＤ表示装置を提供することができる。
【図面の簡単な説明】
【００１２】
【図１】本考案の実施形態に係り、シュレッダによる細断時に細断機構を駆動するモータの負荷の経時的状況を表示するＬＥＤ表示装置を説明するための概念図である。
【図２】図１のＬＥＤ表示装置による一表示例を示す図である。
【考案を実施するための形態】
【００１３】
以下、添付図面を参照して本考案の実施形態を説明する。
図１は、本考案の実施形態に係り、シュレッダによる細断時に細断機構を駆動するモータの負荷の経時的状況を表示するＬＥＤ表示装置１を説明するための概念図である。
シュレッダ（図示しない）は、装置本体内の上部に、不要な紙葉を切り刻む細断機構（図示しない）と、該細断機構を駆動回転するモータ２とを備え、装置本体内の下部に、細断機構により切り刻まれた紙チップを受け容れるバケット（図示しない）を備え、装置本体の上面に、細断機構に対応する枚葉紙投入口（図示しない）と、モータ２に給電するための電源スイッチ（図示しない）とを備える。
モータ２は、例えばインバーターモータが用いられ、前記電源スイッチをオン・オフすることにより駆動・駆動停止される。
【００１４】
特に、本実施形態のシュレッダは、装置本体の上面にモータの負荷の経時的状況を表示するＬＥＤ表示装置１を備え、装置本体内に、モータ２の電気的情報（電圧、電流、又は電力）を検出するセンサ３と、センサ３の信号を入力して演算しＬＥＤ表示装置１の表示を行うための制御信号を出力する制御部４と、を備える。
【００１５】
ＬＥＤ表示装置１は、例えば図２に示す複数色に発光し得る３色ＬＥＤ１ａが横長の正列状に配列されたＬＥＤ基板１ｂと、３色ＬＥＤ１ａを駆動制御する多色化コントローラドライバ（ＰＷＭ制御回路：図示しない）と、を筐体内に内蔵してなる。３色ＬＥＤ１ａは、一つのパッケージの中に、例えば赤色発光、緑色発光、青色発光の３つのＬＥＤチップを備えてなる。
【００１６】
制御部４は、センサ３の検出信号を微小な一定時間毎に入力してモータ２の負荷の大きさを演算し、負荷の大きさに応じた制御信号を逐次生成し出力する。
【００１７】
多色化コントローラドライバは、制御部４が生成し出力する制御信号を入力する毎に、横長の正列状に配列された３色ＬＥＤ１ａの中、左列から一列毎に順次に右方へ発光対象列を増やしていくと共に、制御信号に応じて３色ＬＥＤ１ａをモータの負荷の状況をライン表示と発光色とにより表示する発光させる。
【００１８】
図２に示すように、ＬＥＤ基板１ｂに横長の正列状に配列された３色ＬＥＤ１ａは、左列から右列に順次に棒グラフ状に点灯表示する。この棒グラフ状の点灯表示は、単なる棒グラフ状表示とは異なる。
左列から右列までの各列の一番上に点灯する３色ＬＥＤ１ａは、モータの負荷の変動状況をライン表示しかつ負荷の大きさに応じた発光色に発光表示する。左列から右列までの各列の一番上に点灯する３色ＬＥＤ１ａに対して下位の３色ＬＥＤ１ａの点灯は、各列の一番上に点灯する３色ＬＥＤ１ａと同一色で点灯表示し、可視的に光量を増やす棒グラフ状の点灯表示であり、モータの負荷の大きさを視認し易くするためである。
ＬＥＤ基板１ｂに横長の正列状に配列された３色ＬＥＤ１ａは、具体的には、モータの負荷の大きさと変動の状況に応じて以下のように発光する場合がある。
【００１９】
［青色の発光］
まず、紙葉を１枚も細断しないでモータが細断機構を駆動回転するときに制御部４が出力する制御信号は、発光対象列の３色ＬＥＤ１ａの中の、最下位の３色ＬＥＤ１ａを例えば青色に発光させる。即ち、電源スイッチをオンし、紙葉を１枚も投入していないときは、ＬＥＤ表示装置１は、右列から左列まで最下位の３色ＬＥＤ１ａを横１列に青色に発光させる。
【００２０】
［緑色の発光］
例えば２枚以下の紙葉を重ねて一度に細断するときのモータ負荷に対応し、制御部４が出力する制御信号は、発光対象列の３色ＬＥＤ１ａの中の、下から２段目の３色ＬＥＤ１ａを例えば緑色に発光させる。即ち、２枚以下の紙葉を重ねて一度に細断するときは、ＬＥＤ表示装置１は、右列から左列まで下から１、２段目の３色ＬＥＤ１ａを横２列に緑色に発光させる。
【００２１】
［黄色の発光］
例えば７枚の紙葉を重ねて一度に細断するときのモータ負荷に対応し、制御部４が出力する制御信号は、発光対象列の３色ＬＥＤ１ａの中の、中段位置を含む下位の３色ＬＥＤ１ａを例えば黄色に発光させる。即ち、７枚の紙葉を重ねて一度に細断するときは、ＬＥＤ表示装置１は、右列から左列まで中段位置を含む下位の３色ＬＥＤ１ａを例えば黄色に発光させる。
【００２２】
［橙色の発光］
例えば１２枚の紙葉を重ねて一度に細断するときのモータ負荷に対応し、制御部４が出力する制御信号は、発光対象列の３色ＬＥＤ１ａの中の、最上段の一段下位置の３色ＬＥＤ１ａを例えば橙色にライン発光すると共に、その下位の全ての３色ＬＥＤ１ａを橙色に発光させる。即ち、１２枚の紙葉を重ねて一度に細断するときは、ＬＥＤ表示装置１は、右列から左列まで、最上段の一段下位置の３色ＬＥＤ１ａを例えば橙色にライン発光すると共に、その下位の全ての３色ＬＥＤ１ａをライン発光と同じ橙色に発光させる。
【００２３】
［緑色と黄色の間の中間色の発光］
３〜６枚の紙葉を重ねて一度に細断するときの制御部４が出力する制御信号は、発光対象列の３色ＬＥＤ１ａの中の、下から３段目より中段位置より１段下までの範囲の３色ＬＥＤ１ａに対し、例えば緑色と黄色の間でモータ負荷に対応し段階的に変化する中間色に発光させる。
【００２４】
［黄色と橙色の間の中間色の発光］
８〜１１枚の紙葉を重ねて一度に細断するときのモータ負荷に対応し、制御部４が出力する制御信号は、発光対象列の３色ＬＥＤ１ａの中の、中段位置より１段上から最上段位置より２段下までの範囲の３色ＬＥＤ１ａに対し、例えば黄色と橙色の間でモータ負荷に対応し段階的に変化する中間色に発光させる。
【００２５】
［赤色の発光］
紙葉が多すぎて細断不能となるときのモータ負荷に対応する制御信号は、発光対象列の３色ＬＥＤ１ａの中の、例えば最上位の３色ＬＥＤ１ａを赤色にライン発光すると共に下位の３色ＬＥＤ１ａを赤色に発光させる。即ち、紙葉を多く重ね過ぎて（例えば１５枚重ね）細断不能となるときは、ＬＥＤ表示装置１は、右列から左列までかつ下段から上段まで全面的に赤色に発光させる。
【００２６】
［多色発光］
シュレッダにおける実際の細断の状況は、複数枚の紙葉をずらさずに重ねて投入したとしても紙葉がずれて厚みが変動する状態での細断になる。このため、モータ２の負荷が大きく変動する。これに加え、先に投入した紙葉の細断を終えないうちに、次の紙葉を投入して細断する。これによって、ついつい投入する紙葉が多すぎて細断不能となる。
従って、図２に示すように、ＬＥＤ表示装置１において、発光領域の上辺がモータ２の負荷の変動に対応して符号Ｌのようにライン発光すると共に、負荷の大きさに応じた発光色で発光し、さらに各列の下側の３色ＬＥＤ１ａは、ライン発光した色と同一色で発光する。なお、ライン発光の解像度は３色ＬＥＤ１ａの配列数による。一列の３色ＬＥＤ１ａの数を細断不能になる枚数に対応させれば、枚数に対応するモータ負荷を測定しておいて、下から１段上がる毎に、細断枚数と対応させて発光することができる。
【００２７】
［繰り返し発光表示］
ＬＥＤ表示装置１は、紙葉の細断が行われない状態ではモータ２が無負荷なので、上記のように、横一列に青色の発光する表示状態を保持する。１枚以上の紙葉の細断が行われると、モータ２の負荷が生じ、図２に示すように、左端から右端まで順次にモータ２の負荷の変動に対応してライン発光が行われると共に、その下側の３色ＬＥＤ１ａもライン発光と同一色で発光する。右端まで発光が行われた時点で、引き続いて紙葉の細断が行われると、左端より発光表示を繰り返す。
【００２８】
上記実施形態によれば、正列状に配列された複数色に発光し得るＬＥＤが、細断時における細断機構を駆動するモータの負荷状況をライン表示と発光色とにより表示するので、ユーザーにおいて、細断中の紙葉の厚さ又は枚数と、モータの負荷の許容限度との関係を視覚的に把握し易い。このため、ユーザーは毎回の細断時にＬＥＤ表示装置を見て、細断中の紙葉の厚さ又は枚数を減らすべきか否かを判断することが容易であり、ユーザーの細断機構が詰まってしまう事態を回避するための注意力喚起に寄与し得る。
【００２９】
さらに上記実施形態によれば、ライン点灯する各ＬＥＤの下側のＬＥＤは、同列のライン点灯するＬＥＤと同色に点灯するので、発光色に対する視覚認識が高まり、細断中の紙葉の厚さ又は枚数を減らすべきか否かを判断することが一層容易になり、ユーザーの細断機構が詰まってしまう事態を回避するための注意力喚起に寄与し得る。
【００３０】
＜その他の実施形態＞
本考案は、上記の実施形態に限定されるものでなく、実用新案登録請求の範囲の記載に基づいて把握される技術的範囲には、本考案の要旨を逸脱しない範囲内で種々、設計変更した形態が含まれる。
【符号の説明】
【００３１】
１…ＬＥＤ表示装置
１ａ…３色ＬＥＤ
２…モータ
３…センサ
４…制御部
【図１】
0003182638.tif 000003
【図２】
0003182638.tif 000004